(57)【要約】      （修正有）【課題】捕獲の確実性を向上するため、動物の足が捕獲部に入りアームの固定が解除され、動物の足に捕獲用のワイヤーが固定される時間を短縮することで、捕獲の確率を向上させた動物用罠を提供する。【解決手段】動物用罠は、本体となる２本のアーム１をねじりコイルバネ２で連結し、双方のアーム１の先端部にワイヤー５の経路孔を設け、ワイヤー５には抜け防止具３を通し、アーム１双方の先端部を揃え上側とするアーム１の経路孔から下側とするアーム１の経路孔へと通し、双方のアーム１先端部を下側の経路孔から抜けないようワイヤー固定具４で固定した捕獲部を有する。【選択図】図１
2019041630.tif 000002
【特許請求の範囲】
【請求項１】
ばね力によりアームが開放することで、ワイヤーを引き捕獲対象の動物の足を固定する罠において、２本のアームをねじりコイルバネで連結し、双方のアームの先端部にワイヤーの経路孔を設け、ワイヤーには抜け防止具を通し、ワイヤー双方の先端部を上側とするアームの経路孔から下側とするアームの経路孔へと通し、双方のワイヤー先端部を下側の経路孔から抜けないようワイヤー固定具で固定した捕獲部を有することを特徴とする動物用罠。
【請求項２】
捕獲板の裏面にコの字型の解除部を設け、前記解除部にアームの上側と下側の先端部を保持し、誘導具へ配置することを特徴とする請求項１に記載の動物用罠。
【請求項３】
アームを閉じた状態を維持するための、係止具をアームに設けたことを特徴とする請求項１または２に記載の動物用罠。
【請求項４】
２本のパイプ型アームを並列に連結し、各々のパイプ型アーム内に引張コイルバネを配置し、抜け防止具を通したワイヤーを各々の引張コイルバネの内部に経路し、パイプ型アームの後端部に各々のワイヤーを固定するワイヤー固定具を設けたことを特徴とする動物用罠。
【請求項５】
１本のパイプ型アーム内に引張コイルバネを配置し、引張コイルバネの内部に抜け防止具を通したワイヤーを経路し、パイプ型アームの後端部にワイヤーを固定するワイヤー固定具を設けたことを特徴とする動物用罠。
【請求項６】
ワイヤーの捕獲部となるループを巻きつけた捕獲板が設けられた円筒を、誘導具へ配置することを特徴とする請求項４または５に記載の動物用罠
【発明の詳細な説明】
【技術分野】
【０００１】
本発明は動物用の罠に関する。
【背景技術】
【０００２】
東日本大震災に伴う原発事故の影響により、避難区域への侵入が制限されることで、猪などの獣類が増加し、餌を求めて福島県中心部へも進出するようになり、田畑を荒らしていることが深刻な問題となっている。
動物捕獲用の罠に関しては、ねじりコイルばねを利用するものと、引張コイルばねを利用するものの２つに大別され、捕獲部をワイヤーでループ状に形成し、動物の足が捕獲部に入るとばね力を用いてワイヤーを引きループが狭まることで、動物の足がワイヤーで固定されるものが利用されている。
【０００３】
例えば、特開２０００−１２５７４３号においては、ねじりコイルバネを用い、トリガー具が解除されると、アームが開放することでワイヤーを引きループが狭まる技術が記載されている。
一方、特開２００１−０１７０５９号においては、ねじり公財類似ばねに替えて、引張コイルバネを用いた捕獣用罠に関する技術が記載されており、用いるばねに違いはあるが、ワイヤーの片側を固定しておき、固定されていない側のワイヤーを引く基本的な原理は同じであることから、動物の足を固定するまでに一定の時間が必要となり、動物が罠に気づき瞬間的に罠から足を抜いてしまい捕獲できない課題がある。
【先行技術文献】
【特許文献】
【０００４】
【特許文献１】特開２０００−１２５７４３号（図１）
【特許文献２】特開２００１−０１７０５９号（図１）
【特許文献３】特開平９−２７５８８０号（図７）
【発明の概要】
【発明が解決しようとする課題】
【０００５】
本発明は、捕獲の確実性を向上するため、動物の足が捕獲部に入りアームの固定が解除され、動物の足に捕獲用のワイヤーが固定される時間を短縮することで、捕獲の確率を向上させた動物用罠を提供することを課題とする。
【課題を解決するための手段】
【０００６】
本発明の動物用罠は、本体となる２本のアームをねじりコイルバネで連結し、双方のアームの先端部にワイヤーの経路孔を設け、ワイヤーには抜け防止具を通し、ワイヤー双方の先端部を揃え上側とするアームの経路孔から下側とするアームの経路孔へと通し、双方のワイヤー先端部を下側の経路孔から抜けないようワイヤー固定具で固定した捕獲部を有することを特徴とする。
【０００７】
本発明の第２形態の動物用罠は、本体となる２本のパイプ型アームを並列に連結し、各々のパイプ型アーム内に引張コイルバネを配置し、各々の引張コイルバネの内部に抜け防止具を通したワイヤーを経路し、パイプ型アームの後端部に各々のワイヤーを固定するワイヤー固定具を設けたことを特徴とする。
【０００８】
また、動物の足が入った時に、アームの固定が解除される解除部を有する捕獲板を設けている。
【発明の効果】
【０００９】
従来の罠の捕獲部は、アームの固定が解除されワイヤーを引く際に、片側のみのワイヤーを引くこととなるため、動物の足を固定するまでに一定の時間が必要であるが、本発明の捕獲部は、アームの固定が解除されワイヤーを引く際に、ワイヤー２本を同時に引くことになり、動物の足を固定するまでの時間（以降、捕獲時間という）が、理論上２分の１となり大幅に短縮される。
【００１０】
前記捕獲時間が短縮されることで、罠に足を踏み入れた時の捕獲率を大幅に向上させることができる。
【図面の簡単な説明】
【００１１】
【図１】本発明の概要図
【図２】捕獲時の概要図
【図３】実施例１の平面図
【図４】捕獲部の斜視図
【図５】係止例の三面図
【図６】簡易係止例の三面図
【図７】実施例２の平面図
【図８】実施例２の側面図
【図９】実施例２捕獲概要図
【図１０】実施例３の平面図
【図１１】従来の開放機構例を示す図
【図１２】従来の罠を示す図
【発明を実施するための最良の形態】
【００１２】
本発明の構成について、実施例を基に図面を引用して説明する。
【実施例１】
【００１３】
図１に示すように、所定の長さの２本のアーム１をねじりコイルばね２で連結する。双方のアーム１の先端部付近にワイヤー５を通す経路孔１０を設ける。ワイヤー５には抜け防止具３を通し、ワイヤー双方の先端を揃え上側とするアーム１の経路孔５から、下側とするアーム１の経路孔５を通し、ワイヤー先端部を下側の経路孔から抜けないようワイヤー固定具４で固定する。アーム１の長さは１ｍ未満が望ましい。ねじりコイルばねに替えて、図１１に示す引張コイルばねを利用してもよい。
【００１４】
アーム１は少なくとも先端部が平板状に薄く形成され、強度を確保するため鉄などの金属性が望ましい。金属以外の材質でも金属並みの強度を有するものであればよい。先端部を薄く形成する理由は、アーム１が開く際に、ワイヤー５との摩擦抵抗を低減すること、及び解除部６に設置し易くするためである。
ワイヤー５は強度を確保するために金属製が望ましい。強度と伸び難さを有するものであれば、樹脂製等金属以外の材質でもよい。
図４に示すように、抜け防止具３は、ワイヤー５を通す孔を２つ設け、各々の孔にワイヤー５を経路することで、ワイヤー５が抜けることを防止する。抜け防止具３も強度を確保するため鉄などの金属性が望ましい。金属以外の材質でも金属並みの強度を有するものであればよい。
【００１５】
捕獲板７の裏面に解除部６を設け、誘導具８へ配置する。解除部６はアーム１の上側と下側の先端部を保持できるよう、例えば、コの字型に形成することが望ましい。
【００１６】
捕獲した際に罠がその場に留まるよう、罠固定具９を罠に連結し、他方を樹木等に固定する。固定具９は金属性のワイヤーが望ましいが、鎖などでもよい。捕獲対象となる動物が引く力に耐える材質であればよい。図示しないが捕獲部のワイヤー５のワイヤー固定具４から延長して設けてもよく、ワイヤー固定具４に連結してもよい。
【００１７】
罠を設置する際は、上側アーム１を下側アーム１に向けて閉じ、上下アーム１の先端部を解除部６に差込む。アーム１が差込まれた解除部６を有する捕獲板７を誘導具８の中へ配置し、図３に示すように、ワイヤー５を捕獲板７の円周上にループ状に配置して所定の場所へ罠を設置する。
【００１８】
図２に示すように、動物が捕獲板７を踏むと、捕獲板７が下に落下し、同時に解除部６に差込まれたアーム１の先端部が解除され、アーム１がねじりコイルばね２により勢いよく開くことで、ワイヤー５で形成したループが狭まり、動物の足を固定する。従来の罠のように、片側のワイヤーを引くのではなく、両側からワイヤーを引くため、ループが狭まる時間が片側の場合に比較し約半分となり、捕獲率が向上する。
【００１９】
図４に示すように、締付緩和具１３をワイヤー５に設けることで、捕獲した動物の足を保護できる。必要以上に動物に負担を掛けないための手段である。締付緩和具１３は、コイルばねや樹脂製のホースなどが利用できる。
【実施例２】
【００２０】
図５に示すように、アーム１を閉じた状態を維持するための、係止具１４とピン１５を設けてもよい。係止具１４は下側アーム１の底面に底盤を設け、ピン１５を通すための壁板を底盤からアーム１の両側に設け、ピン１５を通す孔を設ける。上側アーム１を下側アーム１に向けて閉じ、ピン１５を通して閉じた状態を維持する。図６に示すように、コの字形状の係止具１４を用いてもよい。簡易構造で、ピンも必要としない。
【００２１】
係止具１４の高さは、閉じられた上下アーム１の先端距離が、解除部６の開口部の長さより短くすることで、罠を仕掛ける時の設置作業が簡易化され容易になる。山間部で行う作業であるため、設置作業は極力簡易化されることが望まれる。
【実施例３】
【００２２】
ねじりコイルばねを用いアームの開閉を利用するものに替えて、アーム内に配置した引張コイルばねを利用する方法について説明する。
【００２３】
図７から図９に示すように、所定長さのパイプ型アーム１１を２本並列に連結し、パイプ型アーム１１の内部に所定長さの引張コイルばね１２を配置し、抜け防止具３を通したワイヤー５を各々の引張コイルばね１２内に経路する。パイプ型アーム１１の後端部にはワイヤー固定具４を設ける。
【００２４】
パイプ型アーム１１は強度を確保するため鉄などの金属性が望ましい。金属以外の材質でも金属並みの強度を有するものであればよい。パイプ型を利用する理由は、パイプ型アーム１１内に引張コイルばね１２及びワイヤー５を通すためである。
ワイヤー５は強度を確保するために金属製が望ましい。強度と伸び難さを有するものであれば、樹脂製等金属以外の材質でもよい。
抜け防止具３は、ワイヤー５を通す孔を２つ設け、各々の孔にワイヤー５を経路することで、ワイヤー５が抜けることを防止する。抜け防止具３も強度を確保するため鉄などの金属性が望ましい。金属以外の材質でも金属並みの強度を有するものであればよい。
【００２５】
ワイヤー固定具４は、パイプ型アーム１１内のワイヤー５を固定するもので、ねじやボルトが望ましい。図示しないが、ワイヤー固定具４は引張コイルばね１２がパイプ型アーム１１の後端から抜け出ることを防止する係止部の役割も担っている。引張コイルばね１２の係止部は、ワイヤー固定具４付近で捕獲部側のパイプ型アーム１１内に、ワイヤー固定具４に替えて別途係止部を設けてもよい。
【００２６】
捕獲板７は誘導具８の内径より小さく短い円筒の上面に設け、誘導具８内へ配置する。捕獲した際に罠がその場に留めるため、罠固定具９はワイヤー５から延長して用い、樹木等に固定する。
【００２７】
罠を設置する際は、ワイヤー５の捕獲部となるループを、捕獲板７が設けられた円筒の外周に巻きつけ、パイプ型アーム１１の後端にあるワイヤー５を引張コイルばね１２がパイプ型アーム１１内に収まるまで引き、ワイヤー固定具４でワイヤー５を固定する。捕獲板７が設けられた円筒を誘導具８の中へ配置する。
【００２８】
図８から図９に示すように、動物が捕獲板７を踏むと、捕獲板７が設けられた円筒が下に落下し、同時にパイプ型アーム１１内に縮めて収納された引張コイルばね１２が勢いよく伸びることで、ワイヤー５で形成したループが狭まり、動物の足を固定する。従来の罠のように、片側のワイヤーを引くのではなく、両側からワイヤーを引くため、ループが狭まる時間が片側の場合に比較し約半分となり、捕獲率が向上する。
【００２９】
実施例１に示すように、締付緩和具１３をワイヤー５に設けることで、捕獲した動物の足を保護できる。必要以上に動物に負担を掛けないための手段である。締付緩和具１３は、コイルばねや樹脂製のホースなどが利用できる。
【００３０】
図１０に示すように、太いパイプ型アーム１１と引張コイルばね１２を用いることで、パイプ型アーム１１と引張コイルばね１２を１本で構成することも可能である。
【産業上の利用可能性】
【００３１】
本発明の動物用罠は工業生産が可能であり、本装置を用いて獣対策も可能である。
【符号の説明】
【００３２】
１  アーム      ２  ねじりコイルばね    ３  抜け防止具    ４  ワイヤー固定具
５  ワイヤー    ６  解除部    ７  捕獲板    ８  捕獲板誘導具    ９  罠固定具
１０  経路孔    １１  パイプ型アーム    １２  引張コイルばね    １３  締付緩和具
１４  係止具    １５  ピン    ２０  動物の足
【図１】
2019041630.tif 000003
【図２】
2019041630.tif 000004
【図３】
2019041630.tif 000005
【図４】
2019041630.tif 000006
【図５】
2019041630.tif 000007
【図６】
2019041630.tif 000008
【図７】
2019041630.tif 000009
【図８】
2019041630.tif 000010
【図９】
2019041630.tif 000011
【図１０】
2019041630.tif 000012
【図１１】
2019041630.tif 000013
【図１２】
2019041630.tif 000014
【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
ばね力によりアームが開放することで、ワイヤーを引き捕獲対象の動物の足を固定する罠において、２本のアームをねじりコイルバネで連結し、双方のアームの先端部にワイヤーの経路孔を設け、ワイヤーには抜け防止具を通し、ワイヤー双方の先端部を上側とするアームの経路孔から下側とするアームの経路孔へと通し、双方のワイヤー先端部を下側の経路孔から抜けないようワイヤー固定具で固定した捕獲部を有することを特徴とする動物用罠。
【請求項２】
捕獲板の裏面にコの字型の解除部を設け、前記解除部にアームの上側と下側の先端部を保持し、誘導具へ配置することを特徴とする請求項１に記載の動物用罠。
【請求項３】
アームを閉じた状態を維持するための、係止具をアームに設けたことを特徴とする請求項１または２に記載の動物用罠。